(57)【要約】【課題】明るくグリーンゾーンを照明出来ると共に、製造コストの上昇も抑制できる車両用計器照明装置を提供する。【解決手段】大目盛１２ａと、大目盛１２ａとの間に設けられた小目盛１２ｂ…の周囲に、白色印刷層１１ｃの上から緑色印刷層１１ｄを施すことにより、緑色表示部１７ｂが、略扇形を呈するように形成されて、グリーンゾーン１７が構成されている。  グリーンゾーン１７には、複数の略平行四辺形の窓部２３…からなる開口窓部２２が形成されている。  これらの窓部２３…の上側に位置する各鋭角側コーナ部２４…の先端鋭角部分が、指針１５の回動方向のうち、目盛部１２及び文字部２０によって表示される数値が、大となる方向Ｂ（図中白抜き矢印Ｂ方向）に向けられて形成されている。【選択図】図２
2008256467.tif 000002
【特許請求の範囲】
【請求項１】
車両計器の透明基材からなる文字板に、扇形状に配列されて印刷された目盛部を設け、該目盛部の裏面側から単色ＬＥＤを透過照明する車両用計器照明装置であって、
前記目盛部を構成する各目盛を白色印刷して、裏面側に設けられる前記単色ＬＥＤとしての橙色ＬＥＤによって透過照明すると共に、該目盛部の一部を前記目盛の周囲に印刷される緑色印刷によって形成されるグリーンゾーンとして、該グリーンゾーンの一部には、開口によって、グリーンゾーンの表面側に透過光を照光可能な窓部を形成したことを特徴とする車両用計器照明装置。
【請求項２】
前記目盛部は、長手方向長さが、該文字板の中心に位置する指針回動軸方向に向けて突設されてなる大目盛と、該大目盛と他の大目盛との間に設けられて、該大目盛よりも、前記指針回動軸方向への突設量を小さく設定してなる小目盛とを有し、前記大目盛と、大目盛りとの間で、前記大目盛の指針回動軸側端縁に沿って、前記グリーンゾーンの指針回動軸側縁部を形成し、該指針回動軸側縁部と、前記小目盛の指針回動軸側端縁との間のグリーンゾーンに、前記窓部を形成したことを特徴とする請求項１記載の車両用計器照明装置。
【請求項３】
前記窓部は、平行四辺形又は菱形であることを特徴とする請求項１又は２記載の車両用計器照明装置。
【請求項４】
前記グリーンゾーンを扇形に形成すると共に、指針回動軸側縁部の円弧形状に沿わせて、前記複数の窓部を所定の間隔を置いて配列し、該窓部の上側に位置する鋭角側コーナ部を、前記指針の回動方向のうち、目盛部によって表示される数値が、大となる方向に向けて形成され、隣接配置される他の窓部に近接されることを特徴とする請求項１乃至３のうち、何れか一項記載の車両用計器照明装置。
【発明の詳細な説明】
【技術分野】
【０００１】
本発明は、主に、自動車等、車両に用いられる車両用計器照明装置で、特に、グリーンゾーンの視認性を向上させた車両用計器照明装置に関するものである。
【背景技術】
【０００２】
従来、図５に示すような車両用計器照明装置が知られている（例えば、特許文献１等参照）。
【０００３】
まず、構成から説明すると、この従来の車両用計器照明装置では、車両の計器としてのタコメータ１の文字板２の外周縁に沿って、目盛部３が設けられている。
【０００４】
この目盛部３は、複数の短矩形のセグメント３ａ…が扇状に配されて、裏面側に設けられた発光素子によって、透過照明がされるように、主に構成されている。
【０００５】
また、この目盛部３の内側には、エンジン回転数を１０００回転／分単位で表示する回転数表示数字部４…が、一定間隔を置いて、設けられている。
【０００６】
更に、この文字板２の中央位置には、指針５が設けられている。
【０００７】
この指針５には、図示省略のムーブメントによって、回転駆動となるように軸支される軸部５ｂが、設けられていて、この指針５の回動により、先端５ａで、前記目盛部３…のセグメント３ａ及び回転数表示数字部４…が、指示されることにより、車両のエンジンの回転数が認識されるように構成されている。
【０００８】
そして、前記発光素子には、グリーン色ＬＥＤと、赤色ＬＥＤとが設けられていて、主に、前記目盛部３のグリーンゾーン６又はレッドゾーン７の裏面側に配置されることにより、裏面側からの透過照明が、各々行われるように構成されている。
【０００９】
次に、この従来の車両用計器照明装置の作用について説明する。
【００１０】
このように構成された従来の車両用計器照明装置では、前記発光素子としてのグリーン色ＬＥＤと、赤色ＬＥＤとが発光すると、前記目盛部３のグリーンゾーン６又はレッドゾーン７が、裏面側から、透過照明されて、グリーンゾーン６によって表示される経済運転ゾーンと、レッドゾーン７によって表示される警告運転ゾーンとが、識別可能に視認される。
【００１１】
なお、他のこの種の車両用計器照明装置として、グリーンゾーン６の透過照明に用いる光源を白色バルブ（白色電球）としたものも知られている。
【特許文献１】特開２０００−２６４０９３号公報（０００１段落乃至００７４段落、図２）
【発明の開示】
【発明が解決しようとする課題】
【００１２】
従来の車両用計器照明装置では、単一色のＬＥＤを用いて、製造コストの上昇を抑制するため、前記指針５及び目盛部３の他の部分の色彩と同一色の橙色の橙色ＬＥＤを、前記グリーンゾーン６及びレッドゾーン７の裏面側にも配置すると共に、前記文字板２の印刷層に、緑色及び赤色の塗装を施して、透過照明時の色彩を配合する構成が考えられる。
【００１３】
しかしながら、このように構成された従来の車両用計器照明装置では、グリーンゾーン６を構成する緑色の印刷層に、橙色ＬＥＤの透過光を、裏面側から透過照明して配合すると、くすんだ暗い色となる虞があった。
【００１４】
また、白色ＬＥＤを使用することも考えられるが、この場合にも、白色ＬＥＤが高価である為、製造コストが上昇してしまう虞もあった。
【００１５】
そこで、この発明は、明るくグリーンゾーンを照明出来ると共に、製造コストの上昇も抑制できる車両用計器照明装置を提供することを課題としている。
【課題を解決するための手段】
【００１６】
上記目的を達成するために、請求項１に記載された発明は、車両計器の透明基材からなる文字板に、扇形状に配列されて印刷された目盛部を設け、該目盛部の裏面側から単色ＬＥＤを透過照明する車両用計器照明装置であって、前記目盛部を構成する各目盛を白色印刷して、裏面側に設けられる前記単色ＬＥＤとしての橙色ＬＥＤによって透過照明すると共に、該目盛部の一部を前記目盛の周囲に印刷される緑色印刷によって形成されるグリーンゾーンとして、該グリーンゾーンの一部には、開口によって、グリーンゾーンの表面側に透過光を照光可能な窓部を形成した車両用計器照明装置を特徴としている。
【００１７】
また、請求項２に記載されたものは、前記目盛部は、長手方向長さが、該文字板の中心に位置する指針回動軸方向に向けて突設されてなる大目盛と、該大目盛と他の大目盛との間に設けられて、該大目盛よりも、前記指針回動軸方向への突設量を小さく設定してなる小目盛とを有し、前記大目盛と、大目盛りとの間で、前記大目盛の指針回動軸側端縁に沿って、前記グリーンゾーンの指針回動軸側縁部を形成し、該指針回動軸側縁部と、前記小目盛の指針回動軸側端縁との間のグリーンゾーンに、前記窓部を形成した請求項１記載の車両用計器照明装置を特徴としている。
【００１８】
更に、請求項３に記載されたものは、前記窓部は、平行四辺形又は菱形である請求項１又は２記載の車両用計器照明装置を特徴としている。
【００１９】
そして、請求項４に記載されたものは、前記グリーンゾーンを扇形に形成すると共に、指針回動軸側縁部の円弧形状に沿わせて、前記複数の窓部を所定の間隔を置いて配列し、該窓部の上側に位置する鋭角側コーナ部を、前記指針の回動方向のうち、目盛部によって表示される数値が、大となる方向に向けて形成され、隣接配置される他の窓部に近接される請求項１乃至３のうち、何れか一項記載の車両用計器照明装置を特徴としている。
【発明の効果】
【００２０】
このように構成された請求項１記載の発明は、該目盛部の一部に形成されたグリーンゾーンに、開口形成されている前記窓部から、該目盛部の裏面側に設けられた単色ＬＥＤが、透過照明を行う際に、前記目盛の周囲に印刷される緑色印刷の部分が照光されて、グリーンゾーンが、照明される。
【００２１】
このため、単色ＬＥＤとして、指針等の他の部分を照明する橙色ＬＥＤと同色の橙色ＬＥＤを用いて透過照明することが出来、製造コストの上昇が抑制される。
【００２２】
また、請求項２に記載されたものは、前記大目盛の指針回動軸側縁部と、前記小目盛の指針回動軸側端縁との間のグリーンゾーンに、前記窓部が形成されている。
【００２３】
このため、前記文字板の他の部分に、別途照明用の開口部を設ける場合に比して、設置面積を必要とせず、省スペースで効率よく照明することができる。
【００２４】
更に、請求項３に記載されたものは、前記窓部が、平行四辺形又は菱形であるので、前記各目盛に対する識別性が良好で、誤認識される虞が少ない。
【００２５】
また、請求項４に記載されたものは、該窓部の上側に位置する鋭角側コーナ部が、前記指針の回動方向のうち、目盛部によって表示される数値を、大となる方向に向けて、しかも、隣接配置される他の窓部に近接される。
【００２６】
このため、小面積の窓部を、隣接配置される他の窓部に連続するかのように配置して、前記グリーンゾーンの緑色部分の面積の減少を抑制しつつ、前記橙色ＬＥＤの照明光の通過量を効率よく増大させることが出来る。
【発明を実施するための最良の形態】
【００２７】
次に、図面に基づいて、この発明を実施するための最良の実施の形態の車両用計器照明装置について、説明する。
【００２８】
なお、前記従来例と同一乃至均等な部分については同一符号を付して説明する。
【００２９】
図１乃至図４は、この発明の最良の実施の形態の車両用計器照明装置を示すものである。
【００３０】
まず、全体の構成について説明すると、この実施の形態の車両用計器照明装置では、車両計器としてのタコメータ１０には、図１に示すような平板状の樹脂製透明基材１１ａからなる文字板１１が設けられている。
【００３１】
この文字板１１の表面側には、扇形状に配列されて、この樹脂製透明基材１１ａの一側面に形成された略平行四辺形の複数のスモーク部１９…を有するスモーク印刷層１１ｂが、図３に示すように、印刷が施されることにより、形成されている。
【００３２】
更に、このスモーク印刷層１１ｂの上からは、白色印刷層１１ｃとしての目盛部１２及び文字部２０が、印刷を重ねて施すことにより、設けられている。
【００３３】
また、図１に示すように、前記目盛部１２内側に近接して、指針１５の回動方向のうち、目盛部１２及び文字部２０によって表示される数値が、大となる方向に一定長さの赤色印刷７ａが施されることによって、レッドゾーン７が形成されている。
【００３４】
このうち、前記目盛部１２は、前記長手方向長さが、この文字板１１の中心に位置する指針１５の指針回動軸１５ａ方向に向けて、略円形の環状帯部１８の内側縁１８ａから、一定長さＬ１、突設されてなる大目盛１２ａ…と、この大目盛１２ａと他の大目盛１２ａとの間に設けられて、この大目盛１２ａの長さＬ１よりも、前記指針回動軸１５ａ方向への突設量が小さくなるように、環状帯部１８の内側縁１８ａからの長さＬ２が設定されている小目盛１２ｂ…とを有している。
【００３５】
そして、この実施の形態では、図２に示すように、前記大目盛１２ａと、大目盛１２ａとの間に設けられた前記小目盛１２ｂ…の周囲に、前記白色印刷層１１ｃの上から緑色印刷層１１ｄを施すことにより、緑色表示部１７ｂが、略扇形を呈するように形成されて、グリーンゾーン１７が構成されている。
【００３６】
この実施の形態のグリーンゾーン１７は、前記大目盛１２ａ，１２ａの指針回動軸側端縁１６，１６間に沿って、前記グリーンゾーン１７の指針回動軸側縁部１７ａが、円弧形状を呈して形成されている。
【００３７】
そして、このグリーンゾーン１７のうち、前記指針回動軸側縁部１７ａと、前記小目盛１２ａ…の指針回動軸側端縁２１…との間のグリーンゾーン１７には、複数の略平行四辺形の窓部２３…からなる開口窓部２２が形成されている。
【００３８】
この窓部２３…は、図２に示すように、各々前記スモーク部１９と重複する位置で、前記指針回動軸側縁部１７ａに沿って、略所定間隔を置いて、前記グリーンゾーン１７の緑色表示部１７ｂ内に開口形成されて、構成されている。
【００３９】
更に、この実施の形態では、図３に示すように、前記緑色印刷層１１ｄの上から、黒色印刷層１１ｅが施されて、コントラストが、更に向上されるように構成されている。
【００４０】
また、この文字板１１の裏面側には、図３に示すように、一定間隔ｈを置いて、樹脂製の回路基板１３が設けられていて、この回路基板１３の上面側には、この文字板１１を裏面側から透過照明する単色ＬＥＤとしての橙色ＬＥＤ１４…が、所定の間隔を置いて、複数個、配設されている。
【００４１】
そして、これらのグリーンゾーン１７、周囲の目盛部１２及び文字部２０…が、文字板１１裏面側から、前記橙色ＬＥＤ１４…によって、透過照明されるように構成されている。
【００４２】
また、この実施の形態では、図２に示すように、前記グリーンゾーン１７が、略扇形に形成されていて、指針回動軸側縁部１７ａの円弧形状に沿わせて、前記複数の窓部２３…が所定の間隔を置いて配列された状態で、これらの窓部２３…の上側に位置する各鋭角側コーナ部２４…の先端鋭角部分が、前記指針１５の回動方向のうち、目盛部１２及び文字部２０によって表示される数値が、大となる方向Ｂ（図２中白抜き矢印Ｂ方向）に向けられて形成されている。
【００４３】
そして、隣接配置される他の各窓部２３…に、これらの各鋭角側コーナ部２４…が、各々近接されるように構成されている。
【００４４】
次に、この実施の形態の車両用計器照明装置の作用効果について説明する。
【００４５】
このように構成された実施の形態の車両用計器照明装置では、昼間等、前記橙色ＬＥＤ１４が、消灯されている状態では、黒色を基調とする文字板１１に、白色印刷層１１ｃによって構成される前記目盛部１２及び文字部２０が形成されていて、このうち、目盛部１２に沿って、前記グリーンゾーン１７を構成する緑色表示部１７ｂが、図１に示すレッドゾーン７の赤色印刷７ａと共に、良好なコントラストで視認される。
【００４６】
この際、この実施の形態では、前記各窓部２３…に対応して、各スモーク部１９…が設けられているので、文字板１１の表面側から、内部の回路基板１３上の橙色ＬＥＤ１４…等が、視認されにくい。
【００４７】
このため、各窓部２３…は、均質なスモーク色に統一されて、外観品質が良好である。
【００４８】
次に、夜間等、前記目盛部１２に、この目盛部１２が設けられる文字板１１の裏面側に位置する回路基板１３上の橙色ＬＥＤ１４…によって、透過照明が行われる際、前記目盛部１２の一部に沿って形成されたグリーンゾーン１７に、開口形成されている前記窓部２３，２３…から、これらの橙色ＬＥＤ１４…によって、照光される照明光が、前記各大目盛１２ａ，１２ａ及び小目盛１２ｂ…の周囲に印刷される緑色印刷層１１ｄの部分が、表面側から照光されて、グリーンゾーン１７が、従来に比して良好な彩度で照明される。
【００４９】
このため、単色ＬＥＤとして、指針１５等の他の部分を照明する橙色ＬＥＤ１４と同色の橙色ＬＥＤ１４を用いて透過照明することが出来、製造コストの上昇が抑制される。
【００５０】
また、この実施の形態では、前記大目盛１２ａの指針回動軸側縁部１６，１６間を結ぶグリーンゾーン１７の指針回動軸側縁部１７ａと、前記各小目盛１２ｂ…の指針回動軸側端縁２１…との間のグリーンゾーン１７に、前記窓部２３が形成されている。
【００５１】
このため、前記文字板１１の他の部分に、別途照明用の開口部を設ける場合に比して、設置面積を必要とせず、省スペースで、しかも、グリーンゾーン１７内で、最も効率よく照明することができる。
【００５２】
更に、前記窓部２３が、略平行四辺形であるので、前記略長方形に形成される各大，小目盛１２ａ，１２ｂ…に対する識別性が良好で、誤認識される虞が少ない。
【００５３】
また、この窓部２３の上側に位置する鋭角側コーナ部２４が、前記指針１５の回動方向のうち、目盛部１２及び文字部２０によって表示される数値を、大となる方向Ｂに向けて、しかも、図中右側に隣接配置される他の窓部２３に近接させることが出来る。
【００５４】
このため、小面積の窓部２３を、隣接配置される他の窓部２３に連続するかのように配置して、前記グリーンゾーン１７の緑色部分の面積の減少を抑制しつつ、前記橙色ＬＥＤ１４の照明光の通過量を効率よく増大させることが出来る。
【実施例１】
【００５５】
図４は、この発明の実施の形態の実施例１の車両用計器照明装置を示すものである。
【００５６】
なお、前記実施の形態と同一乃至均等な部分については、同一符号を付して、主に相違する部分を中心に説明する。
【００５７】
この実施例１の車両用計器照明装置では、開口窓部１２２を構成する窓部１２３…が、前記指針回動軸１５ａ中心から、所定距離Ｗ離間した位置に、中心点２５ａを有する円２５の接線Ｓ１，Ｓ２〜Ｓｎの延長線上に、少なくとも左，右何れか一方の側辺１２３ａ，１２３ｂを有して構成されている。
【００５８】
また、この実施例１の窓部１２３…の上，下側辺１２３ｃ，１２３ｄは、前記指針回動軸１５ａ中心から半径長さｄ１，ｄ２を相違させてなる同心円２６，２７上に形成されて構成されている。
【００５９】
次に、この実施例１の作用効果について説明する。
【００６０】
このように構成された実施例１の車両用計器照明装置では、前記実施の形態に記載された車両用計器照明装置の作用効果に加えて、更に、少なくとも左，右何れか一方の側辺１２３ａ，１２３ｂが、指針回動軸１５ａ中心から、所定距離Ｗ離間した位置に、中心点２５ａを有する円２５の接線Ｓ１，Ｓ２〜Ｓｎの延長線上に設けられている。
【００６１】
このため、図４に表すように、目盛部１２及び文字部２０によって表示される数値が、大となる方向Ｂに向かうに従って、前記鋭角側コーナ部２４の内角を小さく、先端が鋭くなるので、躍動感を演出出来、更に外観品質を良好なものとすることができる。
【００６２】
他の構成、及び作用効果については、前記実施の形態と略同様であるので、説明を省略する。
【００６３】
以上、図面を参照して、本発明の実施の形態を詳述してきたが、具体的な構成は、この実施の形態に限らず、本発明の要旨を逸脱しない程度の設計的変更は、本発明に含まれる。
【００６４】
即ち、前記実施の形態の車両用計器照明装置では、前記窓部が、略平行四辺形で構成されているが、特にこれに限らず、例えば、菱形、三角形形状等、どのような形状、数量、及び材質で構成されていても、開口によって、グリーンゾーン１７の緑色表示部１７ｂの表面側に透過光を照光可能な窓部であればよい。
【図面の簡単な説明】
【００６５】
【図１】この発明の最良の実施の形態の車両用計器照明装置で、タコメータの正面図である。
【図２】実施の形態の車両用計器照明装置で、タコメータのグリーンゾーン周縁の構成を説明する拡大正面図である。
【図３】実施の形態の車両用計器照明装置で、図２中Ａ−Ａ線に沿った位置での断面図である。
【図４】実施の形態の実施例１の車両用計器照明装置で、窓部の形状の変遷を誇張して説明する模式的な拡大正面図である。
【図５】従来例の車両用計器照明装置で、グリーンゾーンとレッドゾーンとを有するタコメータの正面図である。
【符号の説明】
【００６６】
１０                タコメータ（車両用計器）
１１                文字板
１１ａ              樹脂製透明基材（基材）
１２                目盛部
１２ａ              大目盛
１２ｂ              小目盛
１４                橙色ＬＥＤ（単色ＬＥＤ）
１６                （大目盛）指針回動軸側端縁
１７                グリーンゾーン
１７ａ              指針回動軸側縁部
２１                （小目盛）指針回動軸側端縁
２２，１２２        開口窓部
２３，１２３        窓部
２４                鋭角側コーナ部
【図１】
2008256467.tif 000003
【図２】
2008256467.tif 000004
【図３】
2008256467.tif 000005
【図４】
2008256467.tif 000006
【図５】
2008256467.tif 000007